(57)【要約】【課題】プリント配線基板とホルダと内臓メカ部品とを組み付けてユニット化した状態で搬送する際の搬送効率の上昇および搬送コストの低減を図るとともに、保持部材の小型化を図り、かつ、内臓メカ部品を支持する部材の部品点数の増加を抑制することが可能な映像再生機能付きテレビジョンおよび電子機器を提供する。【解決手段】このＤＶＤ一体型テレビジョン１（映像再生機能付きテレビジョンおよび電子機器）では、フロントキャビネット１０（筐体）には、ホルダ５０（保持部材）を支持する一対の第２レール部１６が一体的に設けられている。また、ホルダ５０には、フロントキャビネット１０の第２レール部１６に係合するレール係合部５５が一体的に設けられている。また、ホルダ５０は、プリント配線基板４０の平面積よりも小さい平面積を有するとともに、フロントキャビネット１０およびリアキャビネット２０の外部に露出することなく全体がフロントキャビネット１０およびリアキャビネット２０の内部に配置されている。【選択図】図２
0003108586.tif 000002
【実用新案登録請求の範囲】
【請求項１】
一対の第１レール部が設けられた筐体と、前記筐体の第１レール部に取り付けられるプリント配線基板と、前記プリント配線基板の上方に配置される内臓メカ部品と、前記内臓メカ部品を支持する支柱部が設けられ、前記プリント配線基板を支持する１つの保持部材とを備えた映像再生機能付きテレビジョンにおいて、
前記筐体には、前記保持部材を支持する一対の第２レール部が設けられ、
前記保持部材には、前記筐体の第２レール部に係合するレール係合部が一体的に設けられ、
前記筐体の第１レール部は、前記筐体の底面から第１の高さの位置に配置されるように、前記筐体に一体的に設けられており、前記筐体の第２レール部は、前記筐体の底面から前記第１の高さよりも小さい第２の高さの位置に配置されるように、前記筐体に一体的に設けられ、
前記保持部材は、前記プリント配線基板の平面積よりも小さい平面積を有するとともに、前記筐体の外部に露出することなく全体が前記筐体の内部に配置される、映像再生機能付きテレビジョン。
【請求項２】
プリント配線基板と、
前記プリント配線基板の上方に配置される内臓メカ部品と、
前記内臓メカ部品を支持する支柱部が設けられ、前記プリント配線基板を支持する１つの保持部材と、
前記プリント配線基板を支持する一対の第１レール部と、底面から所定の高さの位置に配置され、前記１つの保持部材を支持する一対の第２レール部とが一体的に設けられた筐体とを備え、
前記１つの保持部材には、前記筐体の第２レール部に係合するレール係合部が一体的に設けられている、電子機器。
【請求項３】
前記保持部材は、前記筐体の外部に露出することなく全体が前記筐体の内部に配置される、請求項２に記載の電子機器。
【請求項４】
前記保持部材は、前記プリント配線基板の平面積よりも小さい平面積を有する、請求項２または３に記載の電子機器。
【請求項５】
前記筐体の第１レール部は、前記筐体の底面から第１の高さの位置に配置されるように、前記筐体に一体的に設けられており、
前記筐体の第２レール部は、前記筐体の底面から前記第１の高さよりも小さい第２の高さの位置に配置されるように、前記筐体に一体的に設けられている、請求項２〜４のいずれか１項に記載の電子機器。
【考案の詳細な説明】
【技術分野】
【０００１】
本考案は、映像再生機能付きテレビジョンおよび電子機器に関し、特に、プリント配線基板を支持するホルダを備えた映像再生機能付きテレビジョンおよび電子機器に関する。
【背景技術】
【０００２】
従来、映像再生機能付きテレビジョンなどの電子機器において、プリント配線基板の支持構造が種々提案されている（例えば、特許文献１〜４参照）。
【０００３】
上記特許文献１には、メイン回路基板（プリント配線基板）を載置するトレイ（保持部材）をフロントキャビネット（筐体）の底面に取り付けるとともに、活電系回路基板を載置するトレイを、フロントキャビネットの所定の高さの位置で取り出し可能に支持する構造において、トレイをメカデッキ（内臓メカ部品）の上部に浮いた状態で配置することにより活電系回路基板から発生する熱を放熱することが可能な回路基板の取り付け構造が開示されている。
【０００４】
また、上記特許文献２には、ＶＣＲメカニズムと、シャーシ、天板および底板からなる保持部材とにより構成されるＶＣＲ（ビデオカセットレコーダ）ユニット（内臓メカ部品）の突条（突出部）を筐体に設けられたレール部またはボス部に係合させることによりＶＣＲユニットを摺動可能に支持するとともに、ＶＣＲユニットを構成するシャーシに設けられた複数の透孔を利用することによってさまざまな機器に搭載することが可能なＶＣＲユニットの構造が開示されている。
【０００５】
また、上記特許文献３には、フロントキャビネット（筐体）およびリアキャビネット（筐体）の側面に設けられたガイドレール（レール部）にプリント配線基板を支持するトレイシャーシ（保持部材）のガイド部を係合させることにより、トレイシャーシの位置決めを行うとともに、トレイシャーシの前部当接部および後部当接部をそれぞれフロントキャビネットの底面に設けられた当接部およびリアキャビネットの底面に設けられた当接部に係合させることによりトレイシャーシを筐体の底面で固定する電子機器の構造が開示されている。
【０００６】
また、上記特許文献４には、キャビネット（筐体）の底面に設けられたレール（レール部）にプリント配線基板を挿入するとともに、プリント配線基板に設けられた角穴に、キャビネットに取り付けられたボタンブロックに設けられた係止爪を嵌合させることにより、プリント配線基板を固定する構造が開示されている。
【０００７】
また、従来、プリント配線基板を支持するホルダを備えたＤＶＤ（デジタル多用途ディスク）一体型テレビジョンが知られている。図１１は、従来の一例によるＤＶＤ一体型テレビジョンの全体構成を示した斜視図である。図１２〜図１８は、従来のＤＶＤ一体型テレビジョンの詳細構造を説明するための図である。図１１〜図１８を参照して、従来のＤＶＤ一体型テレビジョンの構造について説明する。
【０００８】
従来のＤＶＤ一体型テレビジョン１００は、図１１〜図１４に示すように、ＤＶＤ一体型テレビジョン１００の外枠を構成するフロントキャビネット１１０およびリアキャビネット１２０（図１１参照）と、フロントキャビネット１１０に嵌め込まれた表示画面１３０（図１４参照）と、テレビジョンの制御用のプリント配線基板１４０と、プリント配線基板１４０とほぼ同じ大きさ（平面積）を有し、プリント配線基板１４０を支持する樹脂製のホルダ１５０と、ＤＶＤ（図示せず）を駆動させるためのＤＶＤ駆動装置１６０と、
ＤＶＤ駆動装置１６０の制御用のプリント配線基板１７０とを備えている。
【０００９】
また、図１２および図１４に示すように、フロントキャビネット１１０には、上記した表示画面１３０を嵌め込むための表示窓１１１と、ＤＶＤを挿入するためのＤＶＤ挿入口１１２と、端子差込孔１１３（図１２参照）と、電源ボタンおよび各ボタンを配置するための挿入穴１１４（図１２参照）と、ホルダ１５０を固定するための溝部１１５（図１２参照）とが設けられている。
【００１０】
また、テレビジョンの制御用のプリント配線基板１４０の上面には、図１２に示すように、フロントキャビネット１１０の端子差込孔１１３に挿入され、他の機器との接続の際に使用する端子差込口１４１と、アンテナ線を差し込むアンテナ差込口１４２とが取り付けられている。また、図１２および図１６に示すように、プリント配線基板１４０には、後述するホルダ１５０の支柱部１５１および１５２を挿入するための支柱挿入孔１４３および１４４が、それぞれ２箇所ずつ設けられている。また、プリント配線基板１４０の上面には、ＤＶＤ駆動装置１６０の制御用のプリント配線基板１７０が垂直上方向に延びるように取り付けられている。
【００１１】
また、図１２、図１６および図１８に示すように、樹脂製のホルダ１５０には、プリント配線基板１４０の支柱挿入孔１４３および１４４に対応する箇所に支柱部１５１および１５２がそれぞれ２箇所ずつ設けられている。この支柱部１５１および１５２は、ＤＶＤ駆動装置１６０を支持する機能を有する。また、ホルダ１５０の支柱部１５１および１５２には、それぞれ、ネジ穴１５３が設けられている。また、ホルダ１５０の支柱部１５１には、支柱部１５１および１５２に載置されるＤＶＤ駆動装置１６０の位置決め（回り止め）をする位置決め部１５４が設けられている。また、ホルダ１５０の底面には、図１３、図１４および図１７に示すように、フロントキャビネット１１０の底面に設けられた溝部１１５に係合する２つの脚部１５５が設けられている。この脚部１５５は、フロントキャビネット１１０の底面から下方に突出している。また、ホルダ１５０の支柱部１５１および１５２は、ＤＶＤ駆動装置１６０を載置した場合に、ＤＶＤ駆動装置１６０をフロントキャビネット１１０のＤＶＤ挿入口１１２に対応する位置に配置するような高さを有する。そのため、図１７に示すように、ホルダ１５０は、脚部１５５と、支柱部１５１および１５２とを含めた高さＬ２を有している。
【００１２】
また、図１２および図１６に示すように、挿入されたＤＶＤ（図示せず）を駆動するためのＤＶＤ駆動装置１６０には、ホルダ１５０の支柱部１５１および１５２のネジ穴１５３に対応する位置にネジ挿入穴１６１が設けられている。
【００１３】
次に、図１５および図１６を参照して、プリント配線基板１４０、ホルダ１５０、およびＤＶＤ駆動装置１６０の組立方法を説明する。まず、図１６に示すように、テレビジョン制御用のプリント配線基板１４０に設けられた支柱挿入孔１４３および１４４に、ホルダ１５０の支柱部１５１および１５２をそれぞれ挿入する。これにより、ホルダ１５０の支柱部１５１および１５２がプリント配線基板１４０の上面より垂直上方向に突出した状態で、テレビジョン制御用のプリント配線基板１４０を支持することが可能になる。次に、テレビジョン制御用のプリント配線基板１４０の上面から垂直上方向に突出している支柱部１５１および１５２にＤＶＤ駆動装置１６０を配置する。この状態から、ＤＶＤ駆動装置１６０のネジ挿入穴１６１を介して、支柱部１５１および１５２のネジ穴１５３にネジ１８０を締め付ける。これにより、ＤＶＤ駆動装置１６０がホルダ１５０に取り付けられる。その結果、図１５に示すように、ホルダ１５０に対して、プリント配線基板１４０およびＤＶＤ駆動装置１６０の組み付けが完了する。
【００１４】
次に、図１２、図１５および図１７を参照して、フロントキャビネット１１０に対する
プリント配線基板１４０、ホルダ１５０、およびＤＶＤ駆動装置１６０の取付方法について説明する。まず、プリント配線基板１４０、ホルダ１５０およびＤＶＤ駆動装置１６０を組み付けた状態から、図１２に示すように、ホルダ１５０の脚部１５５（図１７参照）を、図１２の矢印Ｅ方向に移動して、フロントキャビネット１１０の溝部１１５に嵌め込む。このとき、ホルダ１５０の脚部１５５がフロントキャビネット１１０の底面から外側に露出するように配置される。このようにして、フロントキャビネット１１０に対するプリント配線基板１４０、ホルダ１５０、およびＤＶＤ駆動装置１６０の取付が完了する。
【特許文献１】実用新案登録第３０４０９１２号公報
【特許文献２】特開平７−１５３２５１号公報
【特許文献３】特開平８−５６３１８号公報
【特許文献４】特開平９−１３５０８９号公報
【考案の開示】
【考案が解決しようとする課題】
【００１５】
図１１〜図１８に示した従来のＤＶＤ一体型テレビジョン１００では、フロントキャビネット１１０の底面の溝部１１５にホルダ１５０の脚部１５５を嵌め込むことにより、ホルダ１５０を取り付ける。このフロントキャビネット１１０に取り付けられたホルダ１５０によりＤＶＤ駆動装置１６０を支持するため、フロントキャビネット１１０のＤＶＤ挿入口１１２から挿入されたＤＶＤ（図示せず）を駆動するためには、ＤＶＤ挿入口１１２に対応する位置にＤＶＤ駆動装置１６０を配置する必要がある。このため、ＤＶＤ駆動装置１６０を支持するホルダ１５０は、フロントキャビネット１１０の底面からフロントキャビネット１１０のＤＶＤ挿入口１１２までの高さが必要となるので、ホルダ１５０の高さＬ２（図１７参照）が大きくなるという不都合があった。これにより、図１７に示すように、ホルダ１５０にプリント配線基板１４０およびＤＶＤ駆動装置１６０を組み付けてユニット化した状態では、ホルダ１５０の大きい高さに起因して高さが大きくなる。その結果、図１９および図２０に示すように、保持部材としてのホルダ１５０にプリント配線基板１４０およびＤＶＤ駆動装置１６０を組み付けてユニット化した状態で、梱包箱１９０に複数段収納して搬送する際に、収納可能な個数が少なくなるため、搬送効率が低下するとともに搬送コストが上昇するという問題点があった。また、図１１〜図１８に示した従来のＤＶＤ一体型テレビジョンでは、プリント配線基板１４０をホルダ１５０のみにより支持しているので、プリント配線基板１４０を確実に支持するためには、ホルダ１５０をプリント配線基板１４０と同等またはそれ以上の大きさにする必要がある。その結果、保持部材としてのホルダ１５０の小型化を図るのが困難であるという問題点があった。
【００１６】
また、上記特許文献１に開示された回路基板の取り付け構造では、メイン回路基板（プリント配線基板）を支持するトレイ（保持部材）をフロントキャビネットの底面に取り付けているため、メイン回路基板を所定の高さの位置で支持するためには、トレイの高さを所定の高さの位置まで大きくする必要がある。その結果、トレイの高さが大きくなり、トレイ（保持部材）、メイン回路基板およびメカデッキを組み付けてユニット化して、複数段重ねて梱包箱に収納して搬送する場合に、収納可能な個数が少なくなるため、図１１〜図１８に示した構造と同様、搬送効率が低下するとともに搬送コストが上昇するという問題点がある。また、上記特許文献１では、底面に取り付けられたトレイのみによりメイン回路基板を支持しているため、メイン回路基板を確実に支持するためには、トレイをメイン回路基板と同等またはそれ以上の大きさにする必要がある。そのため、トレイ（保持部材）の小型化を図るのが困難であるという問題点がある。
【００１７】
また、上記特許文献２に開示されたＶＣＲユニットの構造では、ＶＣＲメカニズム（内臓メカ部品）を支持するためにシャーシ、天板、および底板が必要であるため、内臓メカ部品を支持するための保持部材の部品点数が増加するという問題点がある。
【００１８】
また、上記特許文献３に開示された電子機器の構造では、トレイシャーシ（ホルダ）をフロントキャビネット（筐体）およびリアキャビネット（筐体）の底面ではさみ込むことによって固定しているため、トレイシャーシの内部に配置されるビデオデッキを、フロントキャビネットのビデオカセット挿入用穴に対応する高さの位置に配置するためには、トレイシャーシの高さを大きくする必要がある。その結果、保持部材としてのトレイシャーシにプリント配線基板およびビデオデッキを組み付けてユニット化した状態で、梱包箱に複数段重ねて収納して搬送する際に、収納可能な個数が少なくなるため、図１１〜図１８に示した構造と同様、搬送効率が低下するとともに搬送コストが上昇するという問題点がある。また、上記特許文献３では、底面に取り付けられたトレイシャーシのみによりプリント配線基板を支持しているため、プリント配線基板を確実に支持するためには、トレイシャーシをプリント配線基板と同等またはそれ以上の大きさにする必要がある。そのため、保持部材としてのトレイシャーシの小型化を図るのが困難であるという問題点がある。
【００１９】
また、上記特許文献４に開示されたテレビ受像機などのプリント配線基板の組付構造では、テレビ受像機に、たとえば、ビデオデッキやＤＶＤ駆動装置などの内臓メカ部品を搭載する場合には、内臓メカ部品を所定の高さの位置で支持するために、図１１〜図１８に示した構造と同様の内臓メカ部品を支持するためのホルダ（保持部材）が必要となる。この場合、内臓メカ部品を所定の高さの位置で支持するためには、保持部材を所定の高さの位置まで延ばす必要があるので、図１１〜図１８に示したホルダの場合と同様、ホルダ（保持部材）の高さが大きくなるという不都合が生じる。その結果、ホルダ（保持部材）にプリント配線基板および内臓メカ部品を組み付けてユニット化して、複数段重ねて梱包箱に収納して搬送する際に、収納可能な個数が少なくなるため、図１１〜図１８に示した構造と同様、搬送効率が低下するとともに搬送コストが上昇するという問題点がある。
【００２０】
この考案は、上記のような課題を解決するためになされたものであり、この考案の１つの目的は、プリント配線基板と保持部材と内臓メカ部品とを組み付けてユニット化した状態で搬送する際の搬送効率の上昇および搬送コストの低減を図るとともに、保持部材の小型化を図り、かつ、内臓メカ部品を支持する部材の部品点数の増加を抑制することが可能な映像再生機能付きテレビジョンおよび電子機器を提供することである。
【課題を解決するための手段】
【００２１】
この考案の第１の局面による映像再生機能付きテレビジョンは、一対の第１レール部が設けられた筐体と、筐体の第１レール部に取り付けられるプリント配線基板と、プリント配線基板の上方に配置される内臓メカ部品と、内臓メカ部品を支持する支柱部が設けられ、プリント配線基板を支持する１つの保持部材とを備えた映像再生機能付きテレビジョンにおいて、筐体には、保持部材を支持する一対の第２レール部が設けられ、保持部材には、筐体の第２レール部に係合するレール係合部が一体的に設けられ、筐体の第１レール部は、筐体の底面から第１の高さの位置に配置されるように、筐体に一体的に設けられており、筐体の第２レール部は、筐体の底面から第１の高さよりも小さい第２の高さの位置に配置されるように、筐体に一体的に設けられ、保持部材は、プリント配線基板の平面積よりも小さい平面積を有するとともに、筐体の外部に露出することなく全体が筐体の内部に配置される。
【００２２】
この第１の局面による映像再生機能付きテレビジョンでは、上記のように、保持部材に、筐体の底面から所定の高さの位置に設けられる第２レール部に係合するレール係合部を一体的に設けることによって、内臓メカ部品を支持する保持部材の下面を筐体の底面から所定の高さの位置で取り付けることができる。これにより、内臓メカ部品を所定の位置で保持部材の支柱部により支持する場合に、保持部材の下面を筐体の底面に取り付ける場合に比べて、保持部材の下面から支柱部の上端までの高さ（長さ）を小さくすることができ
る。これにより、保持部材に内臓メカ部品およびプリント配線基板を組み付けてユニット化した状態で、梱包箱に複数段に重ねて収納して搬送する際に、保持部材の高さが小さくなる分だけ、梱包箱への収納個数を増加させることができる。その結果、保持部材に内臓メカ部品を組み付けてユニット化して搬送する際に、搬送効率を上昇させるとともに、搬送コストを低減させることができる。また、内臓メカ部品を支持する支柱部が設けられた１つの保持部材を設けることによって、内臓メカ部品を１つの保持部材のみにより支持することができるので、内臓メカ部品を支持する部材の部品点数が増加するのを防止することができる。また、プリント配線基板を支持する筐体の第１レール部および保持部材を設けることによって、プリント配線基板を筐体の第１レール部および保持部材の両方により支持することができる。このため、プリント配線基板を保持部材のみにより支持する場合に比べて、保持部材の平面積をプリント配線基板の平面積よりも小さく形成したとしても、プリント配線基板を確実に支持することができる。その結果、保持部材の小型化を図ることができる。この場合、プリント配線基板を支持する第１レール部を筐体に一体的に設けることによって、部品点数を増加させずに、保持部材の小型化を図ることができる。また、保持部材を、筐体の外部に露出することなく全体を筐体の内部に配置することによって、保持部材を筐体の内部に完全に密閉することができる。これにより、保持部材に、筐体の外部に露出しても良い高価な特殊材料を使用する必要がないので、保持部材の製造コストを低減することができる。また、保持部材を、プリント配線基板の平面積よりも小さい平面積を有するように形成することによって、保持部材の平面積を小さくすることができるので、容易に、保持部材の小型化を図ることができる。また、筐体の第１レール部を、筐体に一体的に設けるとともに、筐体の第２レール部を、筐体に一体的に設けることによって、プリント配線基板および内臓メカ部品を支持する保持部材を、それぞれ、第１レール部および第２レール部に支持させる場合でも、部品点数を増加することなく、プリント配線基板および保持部材を支持することができる。また、保持部材を支持する第２レール部の第２の高さを、プリント配線基板を支持する第１レール部の第１の高さよりも小さくすることによって、容易に、第２レール部に支持された保持部材により、第１レール部に支持されたプリント配線基板の下面を支持することができる。
【００２３】
この考案の第２の局面による電子機器は、プリント配線基板と、プリント配線基板の上方に配置される内臓メカ部品と、内臓メカ部品を支持する支柱部が設けられ、プリント配線基板を支持する１つの保持部材と、プリント配線基板を支持する一対の第１レール部と、底面から所定の高さの位置に配置され、１つの保持部材を支持する一対の第２レール部とが一体的に設けられた筐体とを備え、１つの保持部材には、筐体の第２レール部に係合するレール係合部が一体的に設けられている。
【００２４】
この第２の局面による電子機器では、上記のように、保持部材に、筐体の底面から所定の高さの位置に設けられる第２レール部に係合するレール係合部を一体的に設けることによって、内臓メカ部品を支持する保持部材の下面を筐体の底面から所定の高さの位置で取り付けることができる。これにより、内臓メカ部品を所定の位置で保持部材の支柱部により支持する場合に、保持部材の下面を筐体の底面に取り付ける場合に比べて、保持部材の下面から支柱部の上端までの高さ（長さ）を小さくすることができる。これにより、保持部材に内臓メカ部品およびプリント配線基板を組み付けてユニット化した状態で、梱包箱に複数段に重ねて収納して搬送する際に、保持部材の高さが小さくなる分だけ、梱包箱への収納個数を増加させることができる。その結果、保持部材に内臓メカ部品を組み付けてユニット化して搬送する際に、搬送効率を上昇させるとともに、搬送コストを低減させることができる。また、内臓メカ部品を支持する支柱部が設けられた１つの保持部材を設けることによって、内臓メカ部品を１つの保持部材のみにより支持することができるので、内臓メカ部品を支持する部材の部品点数が増加するのを防止することができる。また、プリント配線基板を支持する筐体の第１レール部および保持部材を設けることによって、プリント配線基板を筐体の第１レール部および保持部材の両方により支持することができる
。このため、プリント配線基板を保持部材のみにより支持する場合に比べて、保持部材の平面積をプリント配線基板の平面積よりも小さく形成したとしても、プリント配線基板を確実に支持することができる。その結果、保持部材の小型化を図ることができる。この場合、プリント配線基板を支持する第１レール部を筐体に一体的に設けることによって、部品点数を増加させずに、保持部材の小型化を図ることができる。
【００２５】
この考案の第２の局面による電子機器において、好ましくは、保持部材は、筐体の外部に露出することなく全体が筐体の内部に配置される。このように構成すれば、保持部材を筐体の内部に完全に密閉することができる。これにより、保持部材に、筐体の外部に露出しても良い高価な特殊材料を使用する必要がないので、保持部材の製造コストを低減することができる。
【００２６】
この考案の第２の局面による電子機器において、好ましくは、保持部材は、プリント配線基板の平面積よりも小さい平面積を有する。このように構成すれば、保持部材の平面積を小さくすることができるので、容易に、保持部材の小型化を図ることができる。
【００２７】
この考案の第２の局面による電子機器において、好ましくは、筐体の第１レール部は、筐体の底面から第１の高さの位置に配置されるように、筐体に一体的に設けられており、筐体の第２レール部は、筐体の底面から第１の高さよりも小さい第２の高さの位置に配置されるように、筐体に一体的に設けられている。このように構成すれば、プリント配線基板および内臓メカ部品を支持する保持部材を、それぞれ、第１レール部および第２レール部に支持させる場合でも、部品点数を増加することなく、プリント配線基板および保持部材を支持することができる。また、保持部材を支持する第２レール部の第２の高さを、プリント配線基板を支持する第１レール部の第１の高さよりも小さくすることによって、容易に、第２レール部に支持された保持部材により、第１レール部に支持されたプリント配線基板の下面を支持することができる。
【考案を実施するための最良の形態】
【００２８】
以下、本考案を具体化した実施形態を図面に基づいて説明する。
【００２９】
図１は、本考案の一実施形態によるＤＶＤ一体型テレビジョンの全体構成を示した斜視図である。図２〜図８は、本考案の一実施形態によるＤＶＤ一体型テレビジョンの詳細構造を説明するための図である。図１〜図８を参照して、本考案の一実施形態によるＤＶＤ一体型テレビジョンの構造について説明する。なお、本実施形態では、本考案の映像再生機能付きテレビジョンおよび電子機器をＤＶＤ一体型テレビジョンに適用した場合について説明する。
【００３０】
本考案の一実施形態によるＤＶＤ一体型テレビジョン１は、図１〜図４に示すように、ＤＶＤ一体型テレビジョン１の外枠を構成するフロントキャビネット１０およびリアキャビネット２０（図１参照）と、フロントキャビネット１０に嵌め込まれた表示画面３０（図４参照）と、テレビジョンの制御用のプリント配線基板４０（図２参照）と、プリント配線基板４０を支持する樹脂製のホルダ５０（図２参照）と、ＤＶＤ（図示せず）を駆動させるためのＤＶＤ駆動装置６０と、ＤＶＤ駆動装置６０の制御用のプリント配線基板７０とを備えている。なお、フロントキャビネット１０およびリアキャビネット２０は、本考案の「筐体」の一例である。また、ホルダ５０は、本考案の「保持部材」の一例であり、ＤＶＤ駆動装置６０は、本考案の「内臓メカ部品」の一例である。
【００３１】
また、図２および図４に示すように、フロントキャビネット１０には、上記した表示画面３０を嵌め込むための表示窓１１と、ＤＶＤを挿入するためのＤＶＤ挿入口１２と、端子差込孔１３（図２参照）と、電源ボタン（図示せず）および各ボタン（図示せず）を配
置するための挿入穴１４（図２参照）とが設けられている。
【００３２】
ここで、本実施形態では、図２および図３に示すように、フロントキャビネット１０の底面には、プリント配線基板４０を支持する一対の第１レール部１５と、ホルダ５０を支持する一対の第２レール部１６とが一体的に設けられている。このホルダ５０を支持する一対の第２レール部１６間の間隔Ｄ１は、プリント配線基板４０を支持する一対の第１レール部１５間の間隔Ｄ２よりも小さく設定されている。また、図３に示すように、第１レール部１５は、フロントキャビネット１０の底面から第１の高さＨ１の位置に配置されている。また、第２レール部１６は、フロントキャビネット１０の底面から第２の高さＨ２の位置に配置されている。また、第２レール部１６の第２の高さＨ２の位置は、第１レール部１５の第１の高さＨ１の位置よりも小さくなるように設定されている。
【００３３】
また、図２に示すように、テレビジョンの制御用のプリント配線基板４０の上面には、フロントキャビネット１０の端子差込孔１３に挿入され、他の機器との接続の際に使用する端子差込口４１と、アンテナ線を差し込むアンテナ差込口４２とが取り付けられている。また、図２および図６に示すように、プリント配線基板４０には、後述するホルダ５０の支柱部５１および５２を挿入するための支柱挿入孔４３および４４が、それぞれ２箇所ずつ設けられている。また、プリント配線基板４０の上面には、ＤＶＤ駆動装置６０の制御用のプリント配線基板７０が垂直上方向に延びるように取り付けられている。
【００３４】
また、図２、図６および図８に示すように、樹脂製のホルダ５０には、プリント配線基板４０の支柱挿入孔４３および４４に対応する箇所に支柱部５１および５２が、それぞれ２箇所ずつ設けられている。この支柱部５１および５２は、ＤＶＤ駆動装置６０を支持する機能を有する。また、ホルダ５０の支柱部５１および５２には、それぞれ、ネジ穴５３が設けられている。また、ホルダ５０の支柱部５１には、支柱部５１および５２に載置されるＤＶＤ駆動装置６０の位置決め（回り止め）をする位置決め部５４が設けられている。
【００３５】
また、本実施形態では、ホルダ５０は、プリント配線基板４０の平面積より小さい平面積（約１／３の平面積）を有する。また、ホルダ５０には、図９に示すように、フロントキャビネット１０の第２レール部１６（図２および図３参照）に係合するレール係合部５５が一体的に設けられている。また、ホルダ５０の支柱部５１および５２は、ＤＶＤ駆動装置６０を載置した場合に、ＤＶＤ駆動装置６０をフロントキャビネット１０のＤＶＤ挿入口１２に対応する位置に配置するような高さを有している。そのため、図７に示すように、ホルダ５０は、支柱部５１および５２を含めた高さＬ１を有している。この図７に示した本実施形態のホルダ５０の高さＬ１は、図１７に示した従来のホルダ１５０の高さＬ２に比べて、脚部１５５（図１７）がない分だけ小さい。
【００３６】
また、図２および図６に示すように、ＤＶＤ駆動装置６０には、ホルダ５０の支柱部５１および５２のネジ穴５３に対応する位置にネジ挿入穴６１が設けられている。
【００３７】
次に、図５および図６を参照して、プリント配線基板４０、ホルダ５０、およびＤＶＤ駆動装置６０の組立方法を説明する。まず、図６に示すように、テレビジョン制御用のプリント配線基板４０に設けられた支柱挿入孔４３および４４に、ホルダ５０の支柱部５１および５２をそれぞれ挿入する。これにより、ホルダ５０の支柱部５１および５２がプリント配線基板４０の上面より垂直上方向に突出した状態で、テレビジョン制御用のプリント配線基板４０を支持することが可能になる。次に、テレビジョン制御用のプリント配線基板４０の上面から垂直上方向に突出している支柱部５１および５２にＤＶＤ駆動装置６０を配置する。この状態から、ＤＶＤ駆動装置６０のネジ挿入穴６１を介して、支柱部５１および５２のネジ穴５３にネジ８０を締め付ける。これにより、ＤＶＤ駆動装置６０が
ホルダ５０に取り付けられる。その結果、ホルダ５０に、プリント配線基板４０およびＤＶＤ駆動装置６０の組み付けが完了する。
【００３８】
次に、図２、図５および図７を参照して、フロントキャビネット１０に対するプリント配線基板４０、ホルダ５０、およびＤＶＤ駆動装置６０の取付方法について説明する。まず、図５および図７に示すように、プリント配線基板４０、ホルダ５０およびＤＶＤ駆動装置６０を組み付けた状態から、プリント配線基板４０を、図２の矢印Ｂ方向（水平方向）に移動して、フロントキャビネット１０の底面に設けられた第１レール部１５に嵌め込む。また、同様にして、ホルダ５０のレール係合部５５を、図２の矢印Ｃ方向（水平方向）に移動して、フロントキャビネット１０の底面に設けられた第２レール部１６に嵌め込む。また、フロントキャビネット１０の後方からリアキャビネット２０を嵌め込むことによって、ホルダ５０は、全体がフロントキャビネット１０およびリアキャビネット２０の外部に露出することなく全体がフロントキャビネット１０およびリアキャビネット２０の内部に配置される。これによって、ホルダ５０をフロントキャビネット１０およびリアキャビネット２０の内部に完全に密閉することができるので、フロントキャビネット１０およびリアキャビネット２０の外部に露出しても良い高価な特殊材料を使用する必要がないので、ホルダ５０の製造コストを低減することができる。このようにして、フロントキャビネット１０に対するプリント配線基板４０、ホルダ５０、およびＤＶＤ駆動装置６０の取付が完了する。
【００３９】
本実施形態では、上記のように、ホルダ５０に、フロントキャビネット１０の底面から所定の高さの位置に設けられる第２レール部１６に係合するレール係合部５５を一体的に設けることによって、ＤＶＤ駆動装置６０を支持するホルダ５０の下面をフロントキャビネット１０の底面から所定の高さの位置で取り付けることができる。これにより、ＤＶＤ駆動装置６０を所定の位置でホルダ５０の支柱部５１および５２により支持する場合に、ＤＶＤ駆動装置６０を支持するホルダ５０の下面をフロントキャビネット１０の底面に取り付ける場合に比べて、ホルダ５０の下面から支柱部５１および５２の上端までの高さ（長さ）Ｌ１を小さくすることができる。これにより、図９および図１０に示すように、ホルダ５０にＤＶＤ駆動装置６０およびプリント配線基板４０を組み付けてユニット化した状態で、梱包箱９０に複数段に重ねて収納して搬送する際に、ホルダ５０の高さＬ１が小さくなる分だけ、梱包箱９０への収納個数を増加させることができる。その結果、ホルダ５０にＤＶＤ駆動装置６０を組み付けてユニット化して搬送する際に、搬送効率を上昇させるとともに、搬送コストを低減させることができる。
【００４０】
また、本実施形態では、ＤＶＤ駆動装置６０を支持する支柱部５１および５２が設けられた１つのホルダ５０を設けることによって、ＤＶＤ駆動装置６０を１つのホルダ５０のみにより支持することができるので、ＤＶＤ駆動装置６０を支持する部材の部品点数が増加するのを防止することができる。
【００４１】
また、本実施形態では、プリント配線基板４０を支持するフロントキャビネット１０の第１レール部１５およびホルダ５０を設けることによって、プリント配線基板４０をフロントキャビネット１０の第１レール部１５およびホルダ５０の両方により支持することができる。このため、プリント配線基板４０をホルダ５０のみにより支持する場合に比べて、ホルダ５０の平面積をプリント配線基板４０の平面積よりも小さく形成したとしても、プリント配線基板４０を確実に支持することができる。その結果、ホルダ５０の小型化を図ることができる。この場合、プリント配線基板４０を支持する第１レール部１５をフロントキャビネット１０に一体的に設けることによって、部品点数を増加させずに、ホルダ５０の小型化を図ることができる。
【００４２】
また、本実施形態では、ホルダ５０を、プリント配線基板４０の平面積よりも小さい平
面積を有するように形成することによって、ホルダ５０の平面積を小さくすることができるので、容易に、ホルダ５０の小型化を図ることができる。
【００４３】
また、本実施形態では、フロントキャビネット１０の第１レール部１５を、フロントキャビネット１０に一体的に設けるとともに、フロントキャビネット１０の第２レール部１６を、フロントキャビネット１０に一体的に設けることによって、プリント配線基板４０およびＤＶＤ駆動装置６０を支持するホルダ５０を、それぞれ、第１レール部１５および第２レール部１６に支持させる場合でも、部品点数を増加することなく、プリント配線基板４０およびホルダ５０を支持することができる。また、ホルダ５０を支持する第２レール部１６の第２の高さＨ２を、プリント配線基板４０を支持する第１レール部１５の第１の高さＨ１よりも小さくすることによって、容易に、第２レール部１６に支持されたホルダ５０により、第１レール部１５に支持されたプリント配線基板４０の下面を支持することができる。
【００４４】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００４５】
たとえば、上記実施形態では、内臓メカ部品を含む映像再生機能付きテレビジョンおよび電子機器の一例として、ＤＶＤ駆動装置を含むＤＶＤ一体型テレビジョンを示したが、本考案はこれに限らず、プリント配線基板を支持する保持部材を備えた映像再生機能付きテレビジョンおよび電子機器であれば、たとえば、内臓メカ部品としてのビデオデッキを含むビデオ一体型テレビジョンなどの他の映像再生機能付きテレビジョンおよび電子機器にも適用可能である。
【図面の簡単な説明】
【００４６】
【図１】本考案の一実施形態によるＤＶＤ一体型テレビジョンの全体構成を示した斜視図である。
【図２】図１に示した本考案の一実施形態によるＤＶＤ一体型テレビジョンの分解斜視図である。
【図３】図１に示した本考案の一実施形態によるＤＶＤ一体型テレビジョンの正面図である。
【図４】図１に示した本考案の一実施形態によるＤＶＤ一体型テレビジョンの側面図である。
【図５】図１に示した本考案の一実施形態によるＤＶＤ一体型テレビジョンのプリント配線基板、ホルダおよびＤＶＤ駆動装置の斜視図である。
【図６】図１に示した本考案の一実施形態によるＤＶＤ一体型テレビジョンのプリント配線基板、ホルダおよびＤＶＤ駆動装置の分解斜視図である。
【図７】図５に示した矢印Ａ方向から見たプリント配線基板、ホルダおよびＤＶＤ駆動装置の正面図である。
【図８】図１に示した本考案の一実施形態によるＤＶＤ一体型テレビジョンのホルダの平面図である。
【図９】図１に示した本考案の一実施形態によるＤＶＤ一体型テレビジョンのプリント配線基板、ホルダおよびＤＶＤ駆動装置を梱包箱に収納した状態を示した正面図である。
【図１０】図１に示した本考案の一実施形態によるＤＶＤ一体型テレビジョンのプリント配線基板、ホルダおよびＤＶＤ駆動装置を梱包箱に収納した状態を示した平面図である。
【図１１】従来の一例によるＤＶＤ一体型テレビジョンの全体構成を示した斜視図である。
【図１２】図１１に示した従来のＤＶＤ一体型テレビジョンの分解斜視図である。
【図１３】図１１に示した従来のＤＶＤ一体型テレビジョンの正面図である。
【図１４】図１１に示した従来のＤＶＤ一体型テレビジョンの側面図である。
【図１５】図１１に示した従来のＤＶＤ一体型テレビジョンのプリント配線基板、ホルダおよびＤＶＤ駆動装置の斜視図である。
【図１６】図１１に示した従来のＤＶＤ一体型テレビジョンのプリント配線基板、ホルダおよびＤＶＤ駆動装置の分解斜視図である。
【図１７】図１５に示した矢印Ｄ方向から見たプリント配線基板、ホルダおよびＤＶＤ駆動装置の正面図である。
【図１８】図１１に示した従来のＤＶＤ一体型テレビジョンのホルダの平面図である。
【図１９】図１１に示した従来のＤＶＤ一体型テレビジョンのプリント配線基板、ホルダおよびＤＶＤ駆動装置を梱包箱に収納した状態を示した正面図である。
【図２０】図１１に示した従来のＤＶＤ一体型テレビジョンのプリント配線基板、ホルダおよびＤＶＤ駆動装置を梱包箱に収納した状態を示した平面図である。
【符号の説明】
【００４７】
１  ＤＶＤ一体型テレビジョン（映像再生機能付きテレビジョンおよび電子機器）
１０  フロントキャビネット（筐体）
１５  第１レール部
１６  第２レール部
２０  リアキャビネット（筐体）
４０  プリント配線基板
５０  ホルダ
５１、５２  支柱部
５５  レール係合部
６０  ＤＶＤ駆動装置（内臓メカ部品）
【図１】
0003108586.tif 000003
【図２】
0003108586.tif 000004
【図３】
0003108586.tif 000005
【図４】
0003108586.tif 000006
【図５】
0003108586.tif 000007
【図６】
0003108586.tif 000008
【図７】
0003108586.tif 000009
【図８】
0003108586.tif 000010
【図９】
0003108586.tif 000011
【図１０】
0003108586.tif 000012
【図１１】
0003108586.tif 000013
【図１２】
0003108586.tif 000014
【図１３】
0003108586.tif 000015
【図１４】
0003108586.tif 000016
【図１５】
0003108586.tif 000017
【図１６】
0003108586.tif 000018
【図１７】
0003108586.tif 000019
【図１８】
0003108586.tif 000020
【図１９】
0003108586.tif 000021
【図２０】
0003108586.tif 000022